(57)【要約】【課題】加熱コイルに流れる高周波電流をスイッチング手段により制御し鍋を加熱する誘導加熱式炊飯器において、共振コンデンサの静電容量変化を検知できるようにして、共振コンデンサの静電容量変化に伴う機器のライフエンドを検知できるようにする。【解決手段】調理物を入れる鍋１と電磁気的に結合した加熱コイル２に高周波電力を供給して鍋１を加熱し、加熱コイル２と共振コンデンサ３とで共振回路を構成し、加熱コイル２に電力を供給する交流電源５を整流平滑手段６により整流し、加熱コイル２に流れる高周波電流をスイッチング手段４により制御し、スイッチング手段４を駆動する駆動手段１０を制御手段９により制御する。交流電源５より供給される入力電流を検知する電流検知手段８とスイッチング手段４に印加されるピーク電圧を検知する電圧検知手段７からの入力により共振コンデンサ３の静電容量の変化を検知する静電容量検知手段１１を備える。【選択図】図１
2008173150.tif 000002
【特許請求の範囲】
【請求項１】
被調理物を入れる鍋と、前記鍋と電磁気的に結合し高周波電力を供給して前記鍋を加熱する加熱コイルと、前記加熱コイルと共振回路を構成する共振コンデンサと、前記加熱コイルに流れる高周波電流を制御するスイッチング手段と、前記加熱コイルに電力を供給する交流電源と、前記交流電源を整流平滑する整流平滑手段と、前記交流電源より供給される入力電流を検知する電流検知手段と、前記スイッチング手段に印加されるピーク電圧を検知する電圧検知手段と、前記スイッチング手段を駆動する駆動手段と、前記駆動手段を制御する制御手段と、前記電圧検知手段と前記電流検知手段からの入力により前記共振コンデンサの静電容量の変化を検知する静電容量検知手段とを備えた誘導加熱式炊飯器。
【請求項２】
静電容量検知手段は、電流検知手段からの入力が所定の値であるときに電圧検知手段からの入力が所定の値以上であれば共振コンデンサの静電容量が所定の静電容量よりも減少したと判定し、制御手段を停止させるよう構成した請求項１記載の誘導加熱式炊飯器。
【請求項３】
制御手段は、複数の電力目標値を持ち、静電容量検知手段は前記電力目標値毎に共振コンデンサの静電容量が所定の静電容量よりも減少したと判定する判定値を有する請求項１または２記載の誘導加熱式炊飯器。
【請求項４】
交流電源の電圧を検知する入力電圧検知手段を備え、静電容量検知手段は、前記入力電圧検知手段の出力に応じて共振コンデンサの静電容量が所定の静電容量よりも減少したと判定する判定基準を補正するようにした請求項１〜３のいずれか１項に記載の誘導加熱式炊飯器。
【請求項５】
文字を表示する第１の表示手段を備え、前記第１の表示手段は、共振コンデンサの静電容量が所定の静電容量よりも減少したと判定し制御手段を停止させていることを表示するようにした請求項１〜４のいずれか１項に記載の誘導加熱式炊飯器。
【請求項６】
発光素子を備える第２の表示手段を備え、前記第２の表示手段は、共振コンデンサの静電容量が所定の静電容量よりも減少したと判定し制御手段を停止させていることを表示するようにした請求項１〜４のいずれか１項に記載の誘導加熱式炊飯器。
【請求項７】
ブザー音を報知するブザー報知手段を備え、前記ブザー報知手段は、共振コンデンサの静電容量が所定の静電容量よりも減少したと判定し制御手段を停止させていることを報知するようにした請求項１〜４のいずれか１項に記載の誘導加熱式炊飯器。
【請求項８】
音声により機器の状態を使用者に伝える音声報知手段を備え、前記音声報知手段は、共振コンデンサの静電容量が所定の静電容量よりも減少したと判定し制御手段を停止させていることを音声で報知するようにした請求項１〜４のいずれか１項に記載の誘導加熱式炊飯器。
【発明の詳細な説明】
【技術分野】
【０００１】
本発明は、加熱コイルに流れる高周波電流をスイッチング手段により制御し鍋を加熱する誘導加熱式炊飯器に関するものである。
【背景技術】
【０００２】
従来、この種の誘導加熱式炊飯器は図１４に示すように構成していた。以下、その構成について説明する。
【０００３】
図１４に示すように、鍋１は水や米などの被調理物を入れるもので、磁束を通す金属を複数用いた積層体で構成している。加熱コイル２は複数の銅線を束ねたリッツ線で構成している。鍋１と加熱コイル２は電磁気的に結合しており、加熱コイル２に電流が流れることで加熱コイル２に磁束が発生し、この磁束が鍋１の金属を通過することで鍋１に電流が流れ、鍋１は自身のもつ抵抗により発熱する。共振コンデンサ３は加熱コイル２に並列接続しており、加熱コイル２と並列共振回路を構成している。スイッチング手段４はＭＯＳＦＥＴやＩＧＢＴなどの半導体スイッチング素子４ａとこの半導体スイッチング素子４ａに逆接続した逆接続ダイオード４ｂで構成している。
【０００４】
交流電源５は商用電源（例えば１００Ｖ６０Ｈｚ）であり、整流平滑手段６はダイオードブリッジとチョークコイル６ａとコンデンサ６ｂで構成しており、交流電源５を整流している。電圧検知手段７はスイッチング手段４に印加される電圧を２つ以上の抵抗で分圧する分圧回路と、この分圧回路の出力ピーク値を保持するピークホールド回路で構成している。電流検知手段８は電流−電圧変換を行うカレントトランスと、このカレントトランスの出力ピーク値を保持するピークホールド回路で構成している。電圧検知手段７ならびに電流検知手段８からの出力は制御手段９に入力される。
【０００５】
制御手段９はマイクロコンピュータで構成しており、消費電力が所定の値となるよう電圧検知手段７あるいは電流検知手段８からの入力に応じて、スイッチング手段４の導通時間を設定し駆動手段１０に駆動信号を出力する。駆動手段１０は、ＰＮＰトランジスタ、ＮＰＮトランジスタからなるプッシュプル回路で構成しており、制御手段９からの出力信号を受けてスイッチング手段４を構成する半導体スイッチング素子４ａのゲートに信号を出力する。半導体スイッチング素子４ａはこの信号を受けてオンオフし、加熱コイル２に電流を流したり、遮断したりする（例えば、特許文献１参照）。
【０００６】
上記構成において動作を説明する。炊飯や保温などの加熱動作を開始すると、制御手段９は電圧検知手段７あるいは電流検知手段８からの出力値が所定の値となるようスイッチング手段４の導通時間を調整する。すなわち、電圧検知手段７あるいは電流検知手段８からの出力値が所定の値よりも小さければスイッチング手段４の導通時間を長くし、電圧検知手段７あるいは電流検知手段８からの出力値が所定の値よりも大きければスイッチング手段４の導通時間を短くする。
【０００７】
駆動手段１０は、スイッチング手段４をオンし、加熱コイル２に電流を流す。このときの導通時間をＴｏｎ、整流平滑手段６の印加電圧をＶＩＮ、加熱コイル２のインダクタンスをＬとすると、Ｔｏｎ時に加熱コイル２に流れている電流ＩＬは、
【０００８】
【数１】
2008173150.tif 000003
【０００９】
で表すことができる。（式１）より加熱コイル２の電流ＩＬは導通時間や整流平滑手段６の印加電圧に比例することがわかる。このとき、加熱コイル２にたまるエネルギーをＷＬとすると、ＷＬは、
【００１０】
【数２】
2008173150.tif 000004
【００１１】
で表すことができる。この加熱コイル２のエネルギーＷＬは共振コンデンサ３との共振エネルギーになる。
【００１２】
一方、共振コンデンサ３にたまるエネルギーをＷＣ、共振コンデンサ３の静電容量をＣ、共振コンデンサ３の両端電圧をＶＣとすると、ＷＣは、
【００１３】
【数３】
2008173150.tif 000005
【００１４】
で表すことができる。加熱コイル２のエネルギーＷＬが共振コンデンサ３のエネルギーＷＣに変換されるので、
ＷＬ＝ＷＣ・・・・・（式４）
となる。なお、現実には変換時に少なからず様々な損失が発生するが、ここでは変換時の損失は無視している。
【００１５】
スイッチング手段４の両端電圧Ｖｃｅは整流平滑手段６の出力電圧ＶＩＮと共振コンデンサ３の両端電圧ＶＣの和となることから、Ｖｃｅは、
Ｖｃｅ＝ＶＩＮ＋ＶＣ・・・・・（式５）
となる。
【００１６】
（式２）（式３）（式４）（式５）より、Ｖｃｅは、
【００１７】
【数４】
2008173150.tif 000006
【００１８】
と表すことができる。
【００１９】
（式６）よりスイッチング手段４の両端電圧Ｖｃｅに関してつぎの２点がわかる。第１は、スイッチング手段４の両端電圧Ｖｃｅは共振コンデンサ３の静電容量Ｃに依存するものである。
【００２０】
すなわち、共振コンデンサ３の静電容量Ｃが減少すればスイッチング手段４の両端電圧Ｖｃｅは増加する。第２は、スイッチング手段４の両端電圧Ｖｃｅは整流平滑手段６の出力電圧に依存する。すなわち、交流電源５の出力が変化するとスイッチング手段４の両端電圧も変化する。
【特許文献１】特開平１１−５６６０２号公報
【発明の開示】
【発明が解決しようとする課題】
【００２１】
しかしながら、このような従来の構成では、何らかの原因で共振コンデンサの静電容量が低下することで、所定の電力で炊飯等が行えないことを検知することができないという問題を有していた。
【００２２】
本発明は上記従来の課題を解決するもので、共振コンデンサの静電容量変化を検知できるようにして、共振コンデンサの静電容量変化に伴う機器のライフエンドを検知できるようにすることを目的としている。
【課題を解決するための手段】
【００２３】
本発明は上記目的を達成するために、被調理物を入れる鍋と電磁気的に結合した加熱コイルに高周波電力を供給して鍋を加熱し、加熱コイルと共振コンデンサとで共振回路を構成し、加熱コイルに電力を供給する交流電源を整流平滑手段により整流平滑し、加熱コイルに流れる高周波電流をスイッチング手段により制御し、スイッチング手段を駆動する駆動手段を制御手段により制御し、交流電源より供給される入力電流を検知する電流検知手段とスイッチング手段に印加されるピーク電圧を検知する電圧検知手段からの入力により共振コンデンサの静電容量の変化を検知する静電容量検知手段を備えたものである。
【００２４】
これにより、共振コンデンサの静電容量変化を検知することができ、共振コンデンサの静電容量変化に伴う機器のライフエンドを検知できるようにすることができる。
【発明の効果】
【００２５】
本発明の誘導加熱式炊飯器は、共振コンデンサの静電容量変化を検知することができ、共振コンデンサの静電容量変化に伴う機器のライフエンドを検知できるようにすることができる。
【発明を実施するための最良の形態】
【００２６】
第１の発明は、被調理物を入れる鍋と、前記鍋と電磁気的に結合し高周波電力を供給して前記鍋を加熱する加熱コイルと、前記加熱コイルと共振回路を構成する共振コンデンサと、前記加熱コイルに流れる高周波電流を制御するスイッチング手段と、前記加熱コイルに電力を供給する交流電源と、前記交流電源を整流平滑する整流平滑手段と、前記交流電源より供給される入力電流を検知する電流検知手段と、前記スイッチング手段に印加されるピーク電圧を検知する電圧検知手段と、前記スイッチング手段を駆動する駆動手段と、前記駆動手段を制御する制御手段と、前記電圧検知手段と前記電流検知手段からの入力により前記共振コンデンサの静電容量の変化を検知する静電容量検知手段とを備えたものであり、共振コンデンサの静電容量の変化を検知することができ、共振コンデンサの静電容量変化に伴う機器のライフエンドを検知できるようにすることができる。
【００２７】
第２の発明は、上記第１の発明において、静電容量検知手段は、電流検知手段からの入力が所定の値であるときに電圧検知手段からの入力が所定の値以上であれば共振コンデンサの静電容量が所定の静電容量よりも減少したと判定し、制御手段を停止させるよう構成したものであり、共振コンデンサの静電容量変化に伴う機器のライフエンドを検知し、機器を停止させることができる。
【００２８】
第３の発明は、上記第１または第２の発明において、制御手段は、複数の電力目標値を持ち、静電容量検知手段は前記電力目標値毎に共振コンデンサの静電容量が所定の静電容量よりも減少したと判定する判定値を有するものであり、電力目標値毎に共振コンデンサの静電容量が所定の静電容量よりも減少したと判定し制御手段を停止させることができ、しかも、電力目標値毎の判定ばらつきを抑えることができる。
【００２９】
第４の発明は、上記第１〜３のいずれか１つの発明において、交流電源の電圧を検知する入力電圧検知手段を備え、静電容量検知手段は、前記入力電圧検知手段の出力に応じて共振コンデンサの静電容量が所定の静電容量よりも減少したと判定する判定基準を補正するようにしたものであり、電源電圧の変動に伴う判定ばらつきを抑えることができ、共振コンデンサの静電容量減少を電源電圧の変動により誤検知するのを防止することができる。
【００３０】
第５の発明は、上記第１〜４のいずれか１つの発明において、文字を表示する第１の表示手段を備え、前記第１の表示手段は、共振コンデンサの静電容量が所定の静電容量よりも減少したと判定し制御手段を停止させていることを表示するようにしたものであり、使用者は機器が停止している理由を容易に認識することができる。
【００３１】
第６の発明は、上記第１〜４のいずれか１つの発明において、発光素子を備える第２の表示手段を備え、前記第２の表示手段は、共振コンデンサの静電容量が所定の静電容量よりも減少したと判定し制御手段を停止させていることを表示するようにしたものであり、使用者は機器が停止している理由を暗所であっても容易に認識することができる。
【００３２】
第７の発明は、上記第１〜４のいずれか１つの発明において、ブザー音を報知するブザー報知手段を備え、前記ブザー報知手段は、共振コンデンサの静電容量が所定の静電容量よりも減少したと判定し制御手段を停止させていることを報知するようにしたものであり、使用者は機器を目視することなく機器が停止している理由を認識することができる。
【００３３】
第８の発明は、上記第１〜４のいずれか１つの発明において、音声により機器の状態を使用者に伝える音声報知手段を備え、前記音声報知手段は、共振コンデンサの静電容量が所定の静電容量よりも減少したと判定し制御手段を停止させていることを音声で報知するようにしたものであり、使用者は機器が停止している理由について機器を目視することなく認識することができる。
【００３４】
以下、本発明の実施の形態について、図面を参照しながら説明する。なお、この実施の形態によって本発明が限定されるものではない。
【００３５】
（実施の形態１）
図１は、本発明の実施の形態１における誘導加熱式炊飯器の一部ブロック化した回路図を示すものである。
【００３６】
図１に示すように、鍋１は水や米などの被調理物を入れるもので、磁束を通す金属を複数用いた積層体で構成している。加熱コイル２は複数の銅線を束ねたリッツ線で構成されている。鍋１と加熱コイル２は電磁気的に結合しており、加熱コイル２に電流が流れることで加熱コイル２に磁束が発生し、この磁束が鍋１の金属を通過することで鍋１に電流が流れ、鍋１は自身のもつ抵抗により発熱する。共振コンデンサ３は加熱コイル２に並列接続しており、加熱コイル２と並列共振回路を構成している。スイッチング手段４は、加熱コイル２に流れる高周波電流を制御するもので、ＭＯＳＦＥＴやＩＧＢＴなどの半導体スイッチング素子４ａとこの半導体スイッチング素子４ａに逆接続した逆接続ダイオード４ｂで構成している。交流電源５は１００Ｖの商用電源であり、整流平滑手段６はダイオードブリッジ６ａとチョークコイル６ｂとコンデンサ６ｃで構成しており、交流電源５を整流平滑している。
【００３７】
電圧検知手段７はスイッチング手段４に印加される電圧を検知するもので、２つ以上の抵抗で分圧する分圧回路と、この分圧回路の出力ピーク値を保持するピークホールド回路で構成している。電流検知手段８は交流電源５より供給される入力電流を検知するもので、電流−電圧変換を行うカレントトランスとこのカレントトランスの出力ピーク値を保持するピークホールド回路で構成している。
【００３８】
制御手段９はマイクロコンピュータで構成しており、電流検知手段８からの入力に応じてスイッチング手段４の導通時間を設定し、駆動手段１０に駆動信号を出力する。駆動手段１０は、ＰＮＰトランジスタ、ＮＰＮトランジスタからなるプッシュプル回路で構成しており、制御手段９からの入力信号を受けてスイッチング手段４を構成する半導体スイッチング素子４ａのゲートに信号を出力する。半導体スイッチング素子４ａはこの信号を受けてオンオフし、加熱コイル２に電流を流したり遮断したりする。静電容量検知手段１１は電圧検知手段７ならびに電流検知手段８からの入力により共振コンデンサ３の静電容量の変化を検知するものである。
【００３９】
上記構成において動作、作用を説明する。制御手段９は加熱動作を開始すると、電流検知手段８からの出力値が１０Ａとなるようスイッチング手段４の導通時間を調整する。すなわち、電流検知手段８からの出力値が所定の値である１０Ａよりも小さければスイッチング手段４の導通時間Ｔｏｎを長くし、電流検知手段８からの出力値が１０Ａよりも大きければスイッチング手段４の導通時間Ｔｏｎを短くすることで入力電力の調整を行っている。また、すでに背景技術で記載したとおり、整流平滑手段６の出力電圧をＶＩＮ、加熱コイル２のインダクタンスをＬ、加熱コイル２に流れる電流をＩＬ、共振コンデンサ３の静電容量をＣとすると、スイッチング手段４の両端電圧Ｖｃｅは、
【００４０】
【数４】
2008173150.tif 000007
【００４１】
で表される。
【００４２】
加熱コイル２に流れる電流ＩＬは電流検知手段８が検知する交流電源５より供給される入力電流と相関関係にある。ここで、整流平滑手段６の出力電圧ＶＩＮと加熱コイル２のインダクタンスＬが既知であれば、交流電源５より供給される入力電流とスイッチング手段４の両端電圧Ｖｃｅとを検知すれば共振コンデンサ３の静電容量Ｃの変化を検知することが可能となる。
【００４３】
以上のように、本実施の形態においては、静電容量検知手段１１の入力を電圧検知手段７と電流検知手段８とすることにより、所定の入力電流時におけるスイッチング手段４の両端電圧を検知することができ、これにより、共振コンデンサ３の静電容量の変化を検知することができる。
【００４４】
（実施の形態２）
図１に示すスイッチング手段４の両端電圧絶対定格は９００Ｖであり、共振コンデンサ３の静電容量Ｃが初期値より変化していなければ、Ｉ＝１０Ａで、Ｖｃｅ＜７００Ｖとなるように設定している。静電容量検知手段１１は、電流検知手段８からの入力が所定の値であるときに電圧検知手段７からの入力が所定の値以上であれば共振コンデンサ３の静電容量が所定の静電容量よりも減少したと判定し、制御手段９を停止させるよう構成している。他の構成は上記実施の形態１と同じである。
【００４５】
上記構成において図２を参照しながら動作、作用を説明する。図２は、本実施の形態における共振コンデンサ静電容量低下を判定するフローチャートである。
【００４６】
まず、ステップ２０１において共振コンデンサ３の静電容量Ｃの低下を検知するための基準値を設定する。すなわち、電流検知手段８が検知する交流電源５より供給される入力電流値Ｉｉｎを１０Ａ、スイッチング手段４の両端電圧ＶｃｅＬｉｍｉｔを８５０Ｖに設定する。つぎにステップ２０２において交流電源５より供給される入力電流ＩがＩｉｎとなっているかを判定する。ここで、Ｉ＝Ｉｉｎであればステップ２０３へ進み、Ｉ＝Ｉｉｎでなければステップ２０５へ進み、共振コンデンサ３の静電容量低下による機器停止判定処理を終え、つぎの処理へと進む。
【００４７】
ステップ２０３では、スイッチング手段４の両端電圧ＶｃｅがＶｃｅＬｉｍｉｔを超えているかどうかを判定する。Ｖｃｅ＞ＶｃｅＬｉｍｉｔであれば、共振コンデンサ３の静電容量が低下しているものとしてステップ２０４へ進み機器を停止させた後、ステップ２０５へ進む。Ｖｃｅ＞ＶｃｅＬｉｍｉｔでなければ、スイッチング手段４の両端電圧が絶対定格を超えてしまうほど共振コンデンサ静電容量は低下していないものと判定しステップ２０５へ進む。
【００４８】
以上のように、本実施の形態においては、所定の入力電流Ｉｉｎにおけるスイッチング手段の両端電圧Ｖｃｅを検知することにより、共振コンデンサ３の静電容量低下を検知することが可能となり、スイッチング手段４の両端電圧が絶対定格を超えてしまう前に機器を停止させることができる。
【００４９】
なお、本実施の形態においては、入力電流Ｉｉｎ＝１０Ａ時にＶｃｅ＞８５０Ｖであれば共振コンデンサ３の静電容量が低下しているものと判定したが、これは一例であり、特にＩｉｎ＝１０Ａ、Ｖｃｅ＞８５０Ｖでなくともよい。
【００５０】
（実施の形態３）
図１に示す制御手段９は、複数の電力目標値を持ち、静電容量検知手段１１は電力目標値毎に共振コンデンサ３の静電容量が所定の静電容量よりも減少したと判定する判定値を有する。すなわち、制御手段９は、出力弱と出力中と出力強の３段階の出力を持ち合わせており、それぞれの入力電流目標値は出力弱で８Ａ、出力中で１０Ａ、出力強で１２Ａとしている。また、スイッチング手段４の両端電圧絶対定格は１０００Ｖであり、共振コンデンサ３の静電容量Ｃが初期値より変化していなければ、各出力時のスイッチング手段４の両端電圧Ｖｃｅはそれぞれ、出力弱で６５０Ｖ以下、出力中で７００Ｖ以下、出力強で８００Ｖ以下となるように設定している。他の構成は上記実施の形態１と同じである。
【００５１】
上記構成において図３を参照しながら動作、作用を説明する。図３は、本実施の形態における電力出力毎の共振コンデンサ３の静電容量低下の判定値を設定するフローチャートである。
【００５２】
図３において、ステップ３０１では出力が弱であるかを判定する。出力弱であればステップ３０２へ進み、ステップ３０２で共振コンデンサ３の静電容量Ｃの変化を検知するための電流検知手段８が検知する交流電源５より供給される入力電流値Ｉｉｎとスイッチング手段４の両端電圧ＶｃｅＬｉｍｉｔをそれぞれＩｉｎ＝８Ａ、ＶｃｅＬｉｍｉｔ＝７００Ｖと設定する。一方、出力弱でなければステップ３０１からステップ３０３へ進み、出力が中であるか判定し、出力が中であればステップ３０４へ進み、Ｉｉｎ＝１０Ａ、ＶｃｅＬｉｍｉｔ＝７５０Ｖと設定し、出力が中でなければステップ３０５へ進み、Ｉｉｎ＝１２Ａ、ＶｃｅＬｉｍｉｔ＝８５０Ｖと設定する。ステップ３０２〜ステップ３０５ではそれぞれの出力に応じたＩｉｎとＶｃｅＬｉｍｉｔとを設定した後、ステップ３０６へ進む。
【００５３】
以上のように、本実施の形態においては、複数の電力目標値毎に共振コンデンサ３の静電容量Ｃの変化を検知するための電流検知手段８が検知する交流電源５より供給される入力電流値Ｉｉｎとスイッチング手段４の両端電圧ＶｃｅＬｉｍｉｔを設定することにより、電力目標値毎に共振コンデンサ３の静電容量Ｃの変化を適切に検知することができる。
【００５４】
なお、本実施の形態においては、電力目標値を３段階としたが特に３段階である必要はなく、共振コンデンサ３の静電容量低下を判定する条件を出力弱時にＩｉｎ＝８Ａ、ＶｃｅＬｉｍｉｔ＝７００Ｖとし、出力中時にＩｉｎ＝１０Ａ、ＶｃｅＬｉｍｉｔ＝７５０Ｖとし、出力強時にＩｉｎ＝１２Ａ、ＶｃｅＬｉｍｉｔ＝８５０Ｖとしたが、これは一例であり、この通りでなくともよい。
【００５５】
（実施の形態４）
図４は、本発明の実施の形態４における誘導加熱式炊飯器の一部ブロック化した回路図を示すものである。
【００５６】
図４に示すように、入力電圧検知手段１２は交流電源５の電圧を検知するものであり、整流平滑手段６を構成するダイオードブリッジ６ａとチョークコイル６ｂとの間の電圧を入力とし、この入力電圧を分圧回路で分圧したものをピークホールド回路でピークホールドして静電容量検知手段１１へ出力するようにしている。静電容量検知手段１１は、入力電圧検知手段１２の出力に応じて共振コンデンサ３の静電容量が所定の静電容量よりも減少したと判定する判定基準を補正するようにしている。他の構成は上記実施の形態１と同じであり、同一符号を付して説明を省略する。
【００５７】
上記構成において図５を参照しながら動作、作用を説明する。静電容量検知手段１１は入力電圧検知手段１２から得られた交流電源５の電圧入力Ｖｉｎに応じて共振コンデンサ３の静電容量低下を判定するＶｃｅＬｉｍｉｔの値を補正する。図５は、静電容量検知手段１１のＶｃｅＬｉｍｉｔ補正動作を示すフローチャートである。
【００５８】
ステップ５０１では基準電圧Ｖ０を設定する。日本国内で使用する機器の場合には公称電源電圧が１００ＶであることからＶ０は１００とする。つぎに、ステップ５０２で補正係数αを３．５とする。この補正係数αについてはインバータ回路の特性に応じて都度適切な値を設定すればよい。
【００５９】
つぎのステップ５０３で、補正後のＶｃｅＬｉｍｉｔを
ＶｃｅＬｉｍｉｔ＝ＶｃｅＬｉｍｉｔ＋（Ｖｉｎ−ＶＯ）・・・・（式７）
により算出する。例えば、ＶｃｅＬｉｍｉｔ＝７５０Ｖで、Ｖｉｎ＝１０５Ｖの場合、補正後のＶｃｅＬｉｍｉｔは７６７．５Ｖとなる。
【００６０】
以上のように、本実施の形態においては、交流電源５の電圧を検知する入力電圧検知手段１２を備え、静電容量検知手段１１が入力電圧検知手段１２の出力に応じ共振コンデンサ３の静電容量が所定の静電容量よりも減少したと判定する判定基準を補正することにより、電源電圧の変動に伴う判定ばらつきを抑えることができる。
【００６１】
なお、本実施の形態では、基準電圧を１００、補正係数を３．５としたが、これは一例で、特にこの通りでなくともよく、補正式を１次関数としたが、特に１次関数でなくともよい。また、交流電源５の電圧変動に伴うＶｃｅＬｉｍｉｔの補正に数式を用いたが、特に数式を用いて補正する必要はなく、交流電源５の変化に伴いＶｃｅＬｉｍｉｔが変化すればよい。
【００６２】
（実施の形態５）
図６は、本発明の実施の形態５における誘導加熱式炊飯器の一部ブロック化した回路図を示すものである。
【００６３】
図６に示すように、第１の表示手段１３は、ＬＣＤにより文字の表示を行うものであり、共振コンデンサ３の静電容量が所定の静電容量よりも減少したことにより制御手段９を停止させていることを表示するようにしている。他の構成は上記実施の形態１と同じであり、同一符号を付して説明を省略する。
【００６４】
上記構成において図７を参照しながら動作、作用を説明する。図７は、本実施の形態における第１の表示手段１３の表示例を表している。
【００６５】
通常時において、第１の表示手段１３は、例えば、図７（ａ）に示すように、現在時刻を表示する。一方、静電容量検知手段１１が共振コンデンサ３の静電容量が所定の静電容量よりも減少したと判定し制御手段９を停止させているときには、図７（ｂ）に示すように、Ｈ９９と表示する。
【００６６】
以上のように、本実施の形態においては、文字を表示する第１の表示手段１３を備え、共振コンデンサ３の静電容量が所定の静電容量よりも減少したことにより制御手段９を停止させていることを表示することにより、使用者が容易に機器が停止している理由を認識することができる。
【００６７】
なお、本実施の形態において、第１の表示手段１３はＬＣＤで構成するものとしたが、特にＬＣＤでなくともよく、共振コンデンサ３の静電容量が所定の静電容量よりも減少したことにより制御手段９を停止させていることを文字により表示することが可能なものであればよい。
【００６８】
（実施の形態６）
図８は、本発明の実施の形態６における誘導加熱式炊飯器の一部ブロック化した回路図を示すものである。
【００６９】
図８に示すように、第２の表示手段１４は、ＬＥＤにより表示を行うものであり、共振コンデンサ３の静電容量が所定の静電容量よりも減少したことにより制御手段９を停止させていることを表示するようにしている。他の構成は上記実施の形態１と同じであり、同一符号を付して説明を省略する。
【００７０】
上記構成において図９および図１０を参照しながら動作、作用を説明する。図９は、本実施の形態における第２の表示手段１４を示し、第２の表示手段１４は予約ＬＥＤ１４ａ（緑色）と炊飯ＬＥＤ１４ｂ（赤色）と保温ＬＥＤ１４ｃ（橙色）で構成している。通常時において、予約ＬＥＤ１４ａ（緑色）は予約炊飯がセットされているときに点灯し、炊飯ＬＥＤ１４ｂ（赤色）は炊飯中に点灯し、保温ＬＥＤ１４ｃ（橙色）は保温中に点灯するものである。
【００７１】
一方、静電容量検知手段１１が共振コンデンサ３の静電容量が所定の静電容量よりも減少したと判定し制御手段９を停止させているときには、図１０に示すように、予約ＬＥＤ１４ａ（緑色）を（ａ）の点灯パターンで、炊飯ＬＥＤ１４ｂ（赤色）を（ｂ）の点灯パターンで、保温ＬＥＤ１４ｃ（橙色）を（ｃ）の点灯パターンでそれぞれ点灯表示することで、使用者に機器が使用できない状態になっていることを表示する。
【００７２】
以上のように、本実施の形態においては、発光素子を備える第２の表示手段１４を備え、共振コンデンサ３の静電容量が所定の静電容量よりも減少したことで制御手段９が停止していることを表示することにより、使用者は機器が停止している理由を暗所であっても容易に認識することができる。
【００７３】
なお、本実施の形態では、静電容量検知手段１１が共振コンデンサ３の静電容量が所定の静電容量よりも減少したと判定し制御手段９を停止させているときに、第２の表示手段１４が点灯する点灯パターンは図１０に示すものとしたが、点灯パターンは特にこの限りでなくともよい。また、第２の表示手段１４は予約ＬＥＤ１４ａ（緑色）と炊飯ＬＥＤ１４ｂ（赤色）と保温ＬＥＤ１４ｃ（橙色）で構成するものとしたが、特にこの限りでなくともよく、ＬＥＤで構成されずともよく、発光素子を備えるものであればよい。
【００７４】
（実施の形態７）
図１１は、本発明の実施の形態７における誘導加熱式炊飯器の一部ブロック化した回路図を示すものである。
【００７５】
図１１に示すように、ブザー報知手段１５は、共振コンデンサ３の静電容量が所定の静電容量よりも減少したことにより制御手段９を停止させていることを報知するようにしている。他の構成は上記実施の形態１と同じであり、同一符号を付して説明を省略する。
【００７６】
上記構成において図１２を参照しながら動作、作用を説明する。通常時において、ブザー報知手段１５は、使用者が機器の操作を行う操作手段（図示せず）の入力を受け付けたことを報知し、あるいは炊飯が完了したことを使用者に報知する。一方、静電容量検知手段１１が共振コンデンサ３の静電容量が所定の静電容量よりも減少したと判定し制御手段９を停止させているときには、図１２に示す鳴動パターンにより使用者に機器が使用できない状態になっていることを報知する。
【００７７】
以上のように、本実施の形態においては、ブザー音を報知するブザー報知手段１５を備え、共振コンデンサ３の静電容量が所定の静電容量よりも減少したことで制御手段９が停止していることをブザー音で報知することにより、使用者は機器を目視することなく機器が停止している理由を認識することができる。
【００７８】
なお、本実施の形態では、静電容量検知手段１１が共振コンデンサ３の静電容量が所定の静電容量よりも減少したと判定し制御手段９を停止させているときに、ブザー報知手段１５が鳴動する鳴動パターンは図１２に示すものとしたが、鳴動パターンは特にこの限りでなくともよい。
【００７９】
（実施の形態８）
図１３は、本発明の実施の形態８における誘導加熱式炊飯器の一部ブロック化した回路図を示すものである。
【００８０】
図１３に示すように、音声報知手段１６は、音声により機器の状態を使用者に伝えるもので、共振コンデンサ３の静電容量が所定の静電容量よりも減少したことにより制御手段９を停止させていることを報知するようにしている。他の構成は上記実施の形態１と同じであり、同一符号を付して説明を省略する。
【００８１】
上記構成において動作、作用を説明する。通常時において、音声報知手段１６は使用者が機器の操作を行う操作手段（図示せず）の入力を受け付けたことや操作時のガイダンス、あるいは炊飯が完了したことなどの機器の状態を使用者に音声報知する。一方、静電容量検知手段１１が共振コンデンサ３の静電容量が所定の静電容量よりも減少したと判定し制御手段９を停止させているときには、「Ｈ９９により停止しています」と音声報知する。これにより、使用者は機器が使用できない状態になっていること認識することができる。
【００８２】
以上のように、本実施の形態においては、音声により機器の状態を使用者に伝える音声報知手段１６を備え、共振コンデンサ３の静電容量が所定の静電容量よりも減少したことで制御手段９が停止していることを音声で報知することにより、使用者は機器が停止している理由について機器を目視することなく認識することができる。
【００８３】
なお、静電容量検知手段１１が共振コンデンサ３の静電容量が所定の静電容量よりも減少したと判定し制御手段９を停止させているときに、音声報知する内容は特に「Ｈ９９により停止しています」である必要はなく、使用者に機器が停止していることを報知できる内容であればよい。
【産業上の利用可能性】
【００８４】
以上のように、本発明にかかる誘導加熱式炊飯器は、共振コンデンサの静電容量変化を検知することができ、共振コンデンサの静電容量変化に伴う機器のライフエンドを検知できるようにすることができるので、加熱コイルに流れる高周波電流をスイッチング手段により制御し鍋を加熱する誘導加熱式炊飯器として有用である。
【図面の簡単な説明】
【００８５】
【図１】本発明の実施の形態１の誘導加熱式炊飯器の一部ブロック化した回路図
【図２】本発明の実施の形態２の誘導加熱式炊飯器の共振コンデンサ静電容量低下判定フローチャート
【図３】本発明の実施の形態３の誘導加熱式炊飯器の電力出力毎の共振コンデンサ静電容量低下判定値設定フローチャート
【図４】本発明の実施４の形態の誘導加熱式炊飯器の一部ブロック化した回路図
【図５】同誘導加熱式炊飯器の静電容量検知手段のＶｃｅＬｉｍｉｔ補正動作を示すフローチャート
【図６】本発明の実施の形態５の誘導加熱式炊飯器の一部ブロック化した回路図
【図７】（ａ）同誘導加熱式炊飯器の第１の表示手段の通常時の表示例を示す図（ｂ）同誘導加熱式炊飯器の第１の表示手段の共振コンデンサ静電容量低下時の表示例を示す図
【図８】本発明の実施の形態６の誘導加熱式炊飯器の一部ブロック化した回路図
【図９】同誘導加熱式炊飯器の第２の表示手段１４の正面図
【図１０】同誘導加熱式炊飯器の第２の表示手段の点灯パターンを示すタイムチャート
【図１１】本発明の実施の形態７の誘導加熱式炊飯器の一部ブロック化した回路図
【図１２】同誘導加熱式炊飯器のブザー報知手段１５の鳴動パターンを示すタイムチャート
【図１３】本発明の実施の形態８の誘導加熱式炊飯器の一部ブロック化した回路図
【図１４】従来の誘導加熱式炊飯器の一部ブロック化した回路図
【符号の説明】
【００８６】
１  鍋
２  加熱コイル
３  共振コンデンサ
４  スイッチング手段
５  交流電源
６  整流平滑手段
７  電圧検知手段
８  電流検知手段
９  制御手段
１０  駆動手段
１１  静電容量検知手段
【図１】
2008173150.tif 000008
【図２】
2008173150.tif 000009
【図３】
2008173150.tif 000010
【図４】
2008173150.tif 000011
【図５】
2008173150.tif 000012
【図６】
2008173150.tif 000013
【図７】
2008173150.tif 000014
【図８】
2008173150.tif 000015
【図９】
2008173150.tif 000016
【図１０】
2008173150.tif 000017
【図１１】
2008173150.tif 000018
【図１２】
2008173150.tif 000019
【図１３】
2008173150.tif 000020
【図１４】
2008173150.tif 000021